【手続補正書】
【提出日】平成17年8月19日(2005.8.19)
【手続補正１】
【補正対象書類名】明細書
【補正対象項目名】特許請求の範囲
【補正方法】変更
【補正の内容】
【特許請求の範囲】
【請求項１】
配列番号：１または配列番号：３で表わされるアミノ酸配列と同一もしくは実質的に同一のアミノ酸配列を含有するＧタンパク質共役型レセプタータンパク質またはその塩と結合する能力を有することを特徴とするポリペプチド、そのアミドもしくはそのエステルまたはその塩。
【請求項２】
配列番号：２２、配列番号：１４または配列番号：３１で表されるアミノ酸配列と同一もしくは実質的に同一のアミノ酸配列を含有する請求項１記載のポリペプチド、そのアミドもしくはそのエステルまたはその塩。
【請求項３】
配列番号：２０、配列番号：２１、配列番号：２２、配列番号：２３、配列番号：４９、配列番号：１２、配列番号：１３、配列番号：１４、配列番号：３６、配列番号：２９、配列番号：３０、配列番号：３１または配列番号：３２で表されるアミノ酸配列を含有する請求項２記載のポリペプチド、そのアミドもしくはそのエステルまたはその塩。
【請求項４】
配列番号：６２で表されるアミノ酸配列を含有する請求項２記載のポリペプチド、そのアミドもしくはそのエステルまたはその塩。
【請求項５】
標識した請求項４記載のポリペプチド、そのアミドもしくはそのエステルまたはその塩。
【請求項６】
配列番号：１９、配列番号：２８または配列番号：６１で表されるアミノ酸配列を含有する請求項２記載のポリペプチド、そのアミドもしくはそのエステルまたはその塩。
【請求項７】
請求項１記載のポリペプチドをコードするポリヌクレオチドを含有するポリヌクレオチド。
【請求項８】
配列番号：４１、配列番号：４２、配列番号：４３、配列番号：４４、配列番号：３７、配列番号：３８、配列番号：３９、配列番号：４０、配列番号：４５、配列番号：４６、配列番号：４７、配列番号：４８または配列番号：５０で表される塩基配列を含有する請求項７記載のポリヌクレオチド。
【請求項９】
配列番号：１８、配列番号：２７または配列番号：６０で表される塩基配列を含有する請求項７記載のポリヌクレオチド。
【請求項１０】
ＤＮＡである請求項７〜９記載のポリヌクレオチド。
【請求項１１】
請求項７記載のポリヌクレオチドを含有する組換えベクター。
【請求項１２】
請求項１１記載の組換えベクターで形質転換された形質転換体。
【請求項１３】
請求項１２記載の形質転換体を培養し、請求項１記載のポリペプチドを生成・蓄積せしめることを特徴とする請求項１記載のポリペプチド、そのアミドもしくはそのエステルまたはその塩の製造法。
【請求項１４】
請求項１記載のポリペプチド、そのアミドもしくはそのエステルまたはその塩を含有してなる医薬。
【請求項１５】
請求項７記載のポリヌクレオチドを含有してなる医薬。
【請求項１６】
請求項７記載のポリヌクレオチドを含有してなる診断薬。
【請求項１７】
肥満症の予防・治療剤である請求項１４または請求項１５記載の医薬。
【請求項１８】
肥満症の診断薬である請求項１６記載の診断薬。
【請求項１９】
請求項１記載のポリペプチド、そのアミドもしくはそのエステルまたはその塩に対する抗体。
【請求項２０】
請求項１９記載の抗体を含有してなる医薬。
【請求項２１】
請求項１９記載の抗体を含有してなる診断薬。
【請求項２２】
癌の予防・治療剤である請求項２０記載の医薬。
【請求項２３】
摂食促進剤である請求項２０記載の医薬。
【請求項２４】
癌の診断薬である請求項２１記載の診断薬。
【請求項２５】
請求項７記載のポリヌクレオチドに相補的または実質的に相補的な塩基配列またはその一部を有するポリヌクレオチド。
【請求項２６】
ＤＮＡである請求項２５記載のポリヌクレオチド。
【請求項２７】
請求項２５記載のポリヌクレオチドを含有してなる医薬。
【請求項２８】
癌の予防・治療剤である請求項２７記載の医薬。
【請求項２９】
摂食促進剤である請求項２７記載の医薬。
【請求項３０】
請求項１記載のポリペプチド、そのアミドもしくはそのエステルまたはその塩を用いることを特徴とする請求項１記載のポリペプチド、そのアミドもしくはそのエステルまたはその塩の活性を促進または阻害する化合物またはその塩のスクリーニング方法。
【請求項３１】
標識した請求項１記載のポリペプチド、そのアミドもしくはそのエステルまたはその塩を用いる請求項３０記載のスクリーニング方法。
【請求項３２】
請求項５記載のポリペプチド、そのアミドもしくはそのエステルまたはその塩を用いる請求項３０記載のスクリーニング方法。
【請求項３３】
さらに、配列番号：１または配列番号：３で表わされるアミノ酸配列と同一もしくは実質的に同一のアミノ酸配列を含有するタンパク質、その部分ペプチド、そのアミドもしくはそのエステルまたはその塩を用いる請求項３０記載のスクリーニング方法。
【請求項３４】
さらに、配列番号：１、配列番号：３、配列番号：６３、配列番号：６５、配列番号：９５、配列番号：９７、配列番号：７７、配列番号：８５、配列番号：８７、配列番号：８９、配列番号：９１、配列番号：９３、配列番号：７１、配列番号：７５、配列番号：８３、配列番号：５１、配列番号：５５、配列番号：６９、配列番号：１０２または配列番号：１０４で表わされるアミノ酸配列を含有するタンパク質、その部分ペプチド、そのアミドもしくはそのエステルまたはその塩を用いる請求項３０記載のスクリーニング方法。
【請求項３５】
配列番号：３で表わされるアミノ酸配列を含有するタンパク質、その部分ペプチド、そのアミドもしくはそのエステルまたはその塩を用いる請求項３３記載のスクリーニング方法。
【請求項３６】
標識した請求項１記載のポリペプチド、そのアミドもしくはそのエステルまたはその塩、および配列番号：３で表わされるアミノ酸配列を含有するタンパク質、その部分ペプチド、そのアミドもしくはそのエステルまたはその塩を用いる請求項３０記載のスクリーニング方法。
【請求項３７】
請求項５記載のポリペプチド、そのアミドもしくはそのエステルまたはその塩、および配列番号：３で表わされるアミノ酸配列を含有するタンパク質、その部分ペプチド、そのアミドもしくはそのエステルまたはその塩を用いる請求項３０記載のスクリーニング方法。
【請求項３８】
（ｉ）請求項１記載のポリペプチド、そのアミドもしくはそのエステルまたはその塩と、配列番号：１または配列番号：３で表わされるアミノ酸配列と同一もしくは実質的に同一のアミノ酸配列を含有するタンパク質、その部分ペプチド、そのアミドもしくはそのエステルまたはその塩とを接触させた場合と、
（ｉｉ）請求項１記載のポリペプチド、そのアミドもしくはそのエステルまたはその塩と、配列番号：１または配列番号：３で表わされるアミノ酸配列と同一もしくは実質的に同一のアミノ酸配列を含有するタンパク質、その部分ペプチド、そのアミドもしくはそのエステルまたはその塩および試験化合物とを接触させた場合との比較を行なうことを特徴とする請求項３０記載のスクリーニング方法。
【請求項３９】
（ｉ）請求項１記載のポリペプチド、そのアミドもしくはそのエステルまたはその塩を、配列番号：１または配列番号：３で表わされるアミノ酸配列と同一もしくは実質的に同一のアミノ酸配列を含有するタンパク質、その部分ペプチド、そのアミドもしくはそのエステルまたはその塩を含有する細胞に接触させた場合と、
（ｉｉ）請求項１記載のポリペプチド、そのアミドもしくはそのエステルまたはその塩および試験化合物を、配列番号：１または配列番号：３で表わされるアミノ酸配列と同一もしくは実質的に同一のアミノ酸配列を含有するタンパク質、その部分ペプチド、そのアミドもしくはそのエステルまたはその塩を含有する細胞に接触させた場合における、該ポリペプチドの該細胞に対する結合量または細胞刺激活性を測定し、比較することを特徴とする請求項３８記載のスクリーニング方法。
【請求項４０】
（ｉ）請求項１記載のポリペプチド、そのアミドもしくはそのエステルまたはその塩を、配列番号：１または配列番号：３で表わされるアミノ酸配列と同一もしくは実質的に同一のアミノ酸配列を含有するタンパク質、その部分ペプチド、そのアミドもしくはそのエステルまたはその塩を含有する細胞の膜画分に接触させた場合と、
（ｉｉ）請求項１記載のポリペプチド、そのアミドもしくはそのエステルまたはその塩および試験化合物を、配列番号：１または配列番号：３で表わされるアミノ酸配列と同一もしくは実質的に同一のアミノ酸配列を含有するタンパク質、その部分ペプチド、そのアミドもしくはそのエステルまたはその塩を含有する細胞の膜画分に接触させた場合における、該ポリペプチドの該細胞の膜画分に対する結合量または細胞刺激活性を測定し、比較することを特徴とする請求項３８記載のスクリーニング方法。
【請求項４１】
（ｉ）請求項１記載のポリペプチド、そのアミドもしくはそのエステルまたはその塩を、請求項１２記載の形質転換体を培養することによって該形質転換体の細胞膜に発現したタンパク質に接触させた場合と、
（ｉｉ）請求項１記載のポリペプチド、そのアミドもしくはそのエステルまたはその塩および試験化合物を、請求項１２記載の形質転換体を培養することによって該形質転換体の細胞膜に発現したタンパク質に接触させた場合における、該ポリペプチドの該タンパク質に対する結合量または細胞刺激活性を測定し、比較することを特徴とする請求項３８記載のスクリーニング方法。
【請求項４２】
標識した請求項１記載のポリペプチド、そのアミドもしくはそのエステルまたはその塩を用いる請求項３８〜４１記載のスクリーニング方法。
【請求項４３】
請求項１記載のポリペプチド、そのアミドもしくはそのエステルまたはその塩を含有してなる請求項１記載のポリペプチド、そのアミドもしくはそのエステルまたはその塩の活性を促進または阻害する化合物またはその塩のスクリーニング用キット。
【請求項４４】
標識した請求項１記載のポリペプチド、そのアミドもしくはそのエステルまたはその塩を含有する請求項４３記載のスクリーニング用キット。
【請求項４５】
請求項５記載のポリペプチド、そのアミドもしくはそのエステルまたはその塩を含有する請求項４３記載のスクリーニング用キット。
【請求項４６】
さらに、配列番号：１または配列番号：３で表わされるアミノ酸配列と同一もしくは実質的に同一のアミノ酸配列を含有するタンパク質、その部分ペプチド、そのアミドもしくはそのエステルまたはその塩を含有する請求項４３記載のスクリーニング用キット。
【請求項４７】
さらに、配列番号：１、配列番号：３、配列番号：６３、配列番号：６５、配列番号：９５、配列番号：９７、配列番号：７７、配列番号：８５、配列番号：８７、配列番号：８９、配列番号：９１、配列番号：９３、配列番号：７１、配列番号：７５、配列番号：８３、配列番号：５１、配列番号：５５、配列番号：６９、配列番号：１０２または配列番号：１０４で表わされるアミノ酸配列を含有するタンパク質、その部分ペプチド、そのアミドもしくはそのエステルまたはその塩を含有する請求項４３記載のスクリーニング用キット。
【請求項４８】
配列番号：３で表わされるアミノ酸配列を含有するタンパク質、その部分ペプチド、そのアミドもしくはそのエステルまたはその塩を含有する請求項４６記載のスクリーニング用キット。
【請求項４９】
標識した請求項１記載のポリペプチド、そのアミドもしくはそのエステルまたはその塩、および配列番号：３で表わされるアミノ酸配列を含有するタンパク質、その部分ペプチド、そのアミドもしくはそのエステルまたはその塩を含有する請求項４３記載のスクリーニング用キット。
【請求項５０】
請求項５記載のポリペプチド、そのアミドもしくはそのエステルまたはその塩、および配列番号：３で表わされるアミノ酸配列を含有するタンパク質、その部分ペプチド、そのアミドもしくはそのエステルまたはその塩を含有する請求項４３記載のスクリーニング用キット。
【請求項５１】
配列番号：１または配列番号：３で表わされるアミノ酸配列と同一もしくは実質的に同一のアミノ酸配列を含有するタンパク質、その部分ペプチド、そのアミドもしくはそのエステルまたはその塩を含有する細胞を含有することを特徴とする請求項４６記載のスクリーニング用キット。
【請求項５２】
配列番号：１または配列番号：３で表わされるアミノ酸配列と同一もしくは実質的に同一のアミノ酸配列を含有するタンパク質、その部分ペプチド、そのアミドもしくはそのエステルまたはその塩を含有する細胞の膜画分を含有することを特徴とする請求項４６記載のスクリーニング用キット。
【請求項５３】
請求項１２記載の形質転換体を培養することによって該形質転換体の細胞膜に発現したタンパク質を含有することを特徴とする請求項４６記載のスクリーニング用キット。
【請求項５４】
配列番号：６３、配列番号：６５、配列番号：９５、配列番号：１０２または配列番号：１０４で表わされるアミノ酸配列を含有するタンパク質またはその塩。
【請求項５５】
請求項５４記載のタンパク質の部分ペプチドまたはその塩。
【請求項５６】
請求項５５記載のタンパク質またはその部分ペプチドをコードするポリヌクレオチドを含有するポリヌクレオチド。
【請求項５７】
ＤＮＡである請求項５６記載のポリヌクレオチド。
【請求項５８】
配列番号：６４、配列番号：６６、配列番号：９６、配列番号：９９、配列番号：１００、配列番号：１０３または配列番号：１０５で表される塩基配列を含有する請求項５７記載のポリヌクレオチド。
【請求項５９】
配列番号：１０１で表される塩基配列を含有するポリヌクレオチド。
【請求項６０】
配列番号：８５、配列番号：８７、配列番号：８９、配列番号：９１または配列番号：９３で表わされるアミノ酸配列を含有するタンパク質またはその塩。
【請求項６１】
請求項６０記載のタンパク質の部分ペプチドまたはその塩。
【請求項６２】
請求項６０記載のタンパク質またはその部分ペプチドをコードするポリヌクレオチドを含有するポリヌクレオチド。
【請求項６３】
ＤＮＡである請求項６２記載のポリヌクレオチド。
【請求項６４】
配列番号：８６、配列番号：８８、配列番号：９０、配列番号：９２または配列番号：９４で表される塩基配列を含有する請求項６３記載のポリヌクレオチド。
【請求項６５】
配列番号：７５または配列番号：８３で表わされるアミノ酸配列を含有するタンパク質またはその塩。
【請求項６６】
請求項６５記載のタンパク質の部分ペプチドまたはその塩。
【請求項６７】
請求項６５記載のタンパク質またはその部分ペプチドをコードするポリヌクレオチドを含有するポリヌクレオチド。
【請求項６８】
ＤＮＡである請求項６７記載のポリヌクレオチド。
【請求項６９】
配列番号：７６または配列番号：８４で表される塩基配列を含有する請求項６８記載のポリヌクレオチド。
【請求項７０】
請求項５６、請求項６２または請求項６７記載のポリヌクレオチドを含有する組換えベクター。
【請求項７１】
請求項６３記載の組換えベクターで形質転換された形質転換体。
【請求項７２】
請求項７１記載の形質転換体を培養し、請求項５４、請求項６０もしくは請求項６４記載のタンパク質またはその部分ペプチドを生成・蓄積せしめることを特徴とする請求項５４、請求項６０もしくは請求項６４記載のタンパク質またはその部分ペプチドまたはその塩の製造法。
【請求項７３】
請求項５４、請求項６０もしくは請求項６４記載のタンパク質またはその部分ペプチドまたはその塩を含有してなる医薬。
【請求項７４】
請求項５６、請求項５９、請求項６２または請求項６７記載のポリヌクレオチドを含有してなる医薬。
【請求項７５】
請求項５６、請求項５９、請求項６２または請求項６７記載のポリヌクレオチドを含有してなる診断薬。
【請求項７６】
肥満症の予防・治療剤である請求項７３または請求項７４記載の医薬。
【請求項７７】
肥満症の診断薬である請求項７５記載の診断薬。
【請求項７８】
配列番号：１もしくは配列番号：３で表わされるアミノ酸配列と同一もしくは実質的に同一のアミノ酸配列を含有するタンパク質、配列番号：５１、配列番号：５５もしくは配列番号：６９で表わされるアミノ酸配列を含有するタンパク質、もしくはその部分ペプチド、またはその塩を含有してなる肥満症の予防・治療剤。
【請求項７９】
配列番号：１もしくは配列番号：３で表わされるアミノ酸配列と同一もしくは実質的に同一のアミノ酸配列を含有するタンパク質、配列番号：５１、配列番号：５５もしくは配列番号：６９で表わされるアミノ酸配列を含有するタンパク質、もしくはその部分ペプチド、またはその塩をコードするポリヌクレオチドを含有するポリヌクレオチドを含有してなる肥満症の予防・治療剤。
【請求項８０】
配列番号：１もしくは配列番号：３で表わされるアミノ酸配列と同一もしくは実質的に同一のアミノ酸配列を含有するタンパク質、配列番号：５１、配列番号：５５もしくは配列番号：６９で表わされるアミノ酸配列を含有するタンパク質、もしくはその部分ペプチド、またはその塩をコードするポリヌクレオチドを含有するポリヌクレオチドを含有してなる肥満症の診断薬。
【請求項８１】
請求項５４、請求項６０もしくは請求項６４記載のタンパク質またはその部分ペプチドまたはその塩に対する抗体。
【請求項８２】
請求項８１記載の抗体を含有してなる医薬。
【請求項８３】
請求項８１記載の抗体を含有してなる診断薬。
【請求項８４】
癌の予防・治療剤である請求項８２記載の医薬。
【請求項８５】
摂食促進剤である請求項８２記載の医薬。
【請求項８６】
癌の診断薬である請求項８３記載の診断薬。
【請求項８７】
配列番号：１もしくは配列番号：３で表わされるアミノ酸配列と同一もしくは実質的に同一のアミノ酸配列を含有するタンパク質、配列番号：５１、配列番号：５５もしくは配列番号：６９で表わされるアミノ酸配列を含有するタンパク質、もしくはその部分ペプチド、またはその塩に対する抗体を含有してなる癌の予防・治療剤。
【請求項８８】
配列番号：１もしくは配列番号：３で表わされるアミノ酸配列と同一もしくは実質的に同一のアミノ酸配列を含有するタンパク質、配列番号：５１、配列番号：５５もしくは配列番号：６９で表わされるアミノ酸配列を含有するタンパク質、もしくはその部分ペプチド、またはその塩に対する抗体を含有してなる摂食促進剤。
【請求項８９】
配列番号：１もしくは配列番号：３で表わされるアミノ酸配列と同一もしくは実質的に同一のアミノ酸配列を含有するタンパク質、配列番号：５１、配列番号：５５もしくは配列番号：６９で表わされるアミノ酸配列を含有するタンパク質、もしくはその部分ペプチド、またはその塩に対する抗体を含有してなる癌の診断薬。
【請求項９０】
請求項５６、請求項５９、請求項６２または請求項６７記載のポリヌクレオチドに相補的または実質的に相補的な塩基配列またはその一部を有するポリヌクレオチド。
【請求項９１】
ＤＮＡである請求項９０記載のポリヌクレオチド。
【請求項９２】
請求項９０記載のポリヌクレオチドを含有してなる医薬。
【請求項９３】
癌の予防・治療剤である請求項９２記載の医薬。
【請求項９４】
摂食促進剤である請求項９２記載の医薬。
【請求項９５】
配列番号：１もしくは配列番号：３で表わされるアミノ酸配列と同一もしくは実質的に同一のアミノ酸配列を含有するタンパク質、配列番号：５１、配列番号：５５もしくは配列番号：６９で表わされるアミノ酸配列を含有するタンパク質、もしくはその部分ペプチド、またはその塩をコードするポリヌクレオチドを含有するポリヌクレオチドに、相補的または実質的に相補的な塩基配列またはその一部を有するポリヌクレオチドを含有してなる癌の予防・治療剤。
【請求項９６】
配列番号：１もしくは配列番号：３で表わされるアミノ酸配列と同一もしくは実質的に同一のアミノ酸配列を含有するタンパク質、配列番号：５１、配列番号：５５もしくは配列番号：６９で表わされるアミノ酸配列を含有するタンパク質、もしくはその部分ペプチド、またはその塩をコードするポリヌクレオチドを含有するポリヌクレオチドに、相補的または実質的に相補的な塩基配列またはその一部を有するポリヌクレオチドを含有してなる摂食促進剤。
【請求項９７】
請求項７記載のポリヌクレオチドを用いることを特徴とする請求項１記載のポリペプチドの遺伝子の発現を促進または阻害する化合物またはその塩のスクリーニング方法。
【請求項９８】
請求項７記載のポリヌクレオチドを含有することを特徴とする請求項１記載のポリペプチドの遺伝子の発現を促進または阻害する化合物またはその塩のスクリーニング用キット。
【請求項９９】
外来性の請求項１０記載のポリヌクレオチドまたはその変異ＤＮＡを有するトランスジェニック非ヒト哺乳動物。
【請求項１００】
非ヒト動物がゲッ歯動物である請求項９９記載の動物。
【請求項１０１】
ゲッ歯動物がマウスまたはラットである請求項１００記載の動物。
【請求項１０２】
外来性の請求項１０記載のポリヌクレオチドまたはその変異ＤＮＡを含有し、非ヒト動物において発現しうる組換えベクター。
【請求項１０３】
請求項９９記載の動物を用いることを特徴とする請求項１０記載のポリヌクレオチドの欠損・損傷に起因する疾病に対して効果を有する化合物またはその塩のスクリーニング方法。
【請求項１０４】
請求項１０記載のポリヌクレオチドが不活性化された非ヒト哺乳動物胚幹細胞。
【請求項１０５】
ポリヌクレオチドがレポーター遺伝子を導入することにより不活性化された請求項１０４記載の胚幹細胞。
【請求項１０６】
非ヒト哺乳動物がゲッ歯動物である請求項１０５記載の胚幹細胞。
【請求項１０７】
請求項１０記載のポリヌクレオチドが不活性化された該ＤＮＡ発現不全非ヒト哺乳動物。
【請求項１０８】
ポリヌクレオチドがレポーター遺伝子を導入することにより不活性化され、該レポーター遺伝子が請求項１０記載のポリヌクレオチドに対するプロモーターの制御下で発現しうる請求項１０７記載の非ヒト哺乳動物。
【請求項１０９】
非ヒト哺乳動物がゲッ歯動物である請求項１０７記載の非ヒト哺乳動物。
【請求項１１０】
ゲッ歯動物がマウスまたはラットである請求項１０９記載の動物。
【請求項１１１】
請求項１０８記載の動物に、試験化合物を投与し、レポーター遺伝子の発現を検出することを特徴とする請求項１０記載のポリヌクレオチドに対するプロモーター活性を促進または阻害する化合物またはその塩のスクリーニング方法。
【請求項１１２】
請求項１０７記載の動物を用いることを特徴とする肥満の予防・治療剤のスクリーニング方法。
【請求項１１３】
請求項５６、請求項６２または請求項６７記載のポリヌクレオチドを用いることを特徴とする請求項５４、請求項６０または請求項６５記載のタンパク質の遺伝子の発現を促進または阻害する化合物またはその塩のスクリーニング方法。
【請求項１１４】
請求項５６、請求項６２または請求項６７記載のポリヌクレオチドを含有することを特徴とする請求項５４、請求項６０または請求項６５記載のタンパク質の遺伝子の発現を促進または阻害する化合物またはその塩のスクリーニング用キット。
【請求項１１５】
外来性の請求項５７、請求項６３または請求項６８記載のポリヌクレオチドまたはその変異ＤＮＡを有するトランスジェニック非ヒト哺乳動物。
【請求項１１６】
非ヒト動物がゲッ歯動物である請求項１１５記載の動物。
【請求項１１７】
ゲッ歯動物がマウスまたはラットである請求項１１６記載の動物。
【請求項１１８】
外来性の請求項５７、請求項６３または請求項６８記載のポリヌクレオチドまたはその変異ＤＮＡを含有し、非ヒト動物において発現しうる組換えベクター。
【請求項１１９】
請求項１１５記載の動物を用いることを特徴とする請求項５７、請求項６３または請求項６８記載のポリヌクレオチドの欠損・損傷に起因する疾病に対して効果を有する化合物またはその塩のスクリーニング方法。
【請求項１２０】
配列番号：１、配列番号：３、配列番号：６３、配列番号：６５、配列番号：９５、配列番号：９７、配列番号：１０２、配列番号：１０４、配列番号：７７、配列番号：８５、配列番号：８７、配列番号：８９または配列番号：７５で表わされるアミノ酸配列の第１６０番目のＧｌｕの直前に一アミノ酸が挿入されたアミノ酸配列を含有するタンパク質またはその塩。
【請求項１２１】
一アミノ酸がアラニンである請求項１２０記載のタンパク質またはその塩。
【請求項１２２】
請求項１２０記載のタンパク質の部分ペプチドまたはその塩。
【請求項１２３】
請求項１２０もしくは請求項１２１記載のタンパク質またはその部分ペプチドをコードするポリヌクレオチドを含有するポリヌクレオチド。
【請求項１２４】
請求項１２０記載のタンパク質もしくはその部分ペプチド、またはその塩を含有してなる癌の予防・治療剤。
【請求項１２５】
配列番号：８３、配列番号：９１または配列番号：９３で表されるアミノ酸配列からなるタンパク質もしくはその部分ペプチド、またはその塩を含有してなる請求項１２４記載の予防・治療剤。
【請求項１２６】
請求項１２３記載のポリヌクレオチドを含有してなる癌の予防・治療剤。
【請求項１２７】
請求項１記載のポリペプチド、そのアミドもしくはそのエステルまたはその塩の活性を促進する化合物またはその塩を含有してなる肥満症の予防・治療剤。
【請求項１２８】
請求項１記載のポリペプチド、そのアミドもしくはそのエステルまたはその塩の活性を阻害する化合物またはその塩を含有してなる癌の予防・治療剤、摂食促進剤またはアポトーシス誘導剤。
【請求項１２９】
（１）配列番号：１もしくは配列番号：３で表わされるアミノ酸配列と同一もしくは実質的に同一のアミノ酸配列を含有するタンパク質、配列番号：５１、配列番号：５５もしくは配列番号：６９で表わされるアミノ酸配列を含有するタンパク質、もしくはその部分ペプチド、またはその塩をコードするポリヌクレオチドを含有するポリヌクレオチドに、相補的または実質的に相補的な塩基配列またはその一部を有するポリヌクレオチド、（２）上記タンパク質、もしくはその部分ペプチド、またはその塩に対する抗体、（３）請求項１２０記載のタンパク質もしくはその部分ペプチド、またはその塩、または（４）請求項１２３記載のポリヌクレオチドを含有してなるアポトーシス誘導剤。
【請求項１３０】
アポトーシス誘導剤である請求項２０、請求項２７、請求項８２または請求項９２記載の医薬。